【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
検体を収容した検体容器から検体を取り込み、取り込まれた検体を処理する第１及び第２検体処理ユニットと、
検体容器を投入するための検体投入ユニットと、
前記第１及び第２検体処理ユニットに対して前記検体投入ユニットと同一側に配置され、前記第１及び第２検体処理ユニットの少なくとも一方へ搬送された検体容器を回収する検体回収ユニットと、
前記検体投入ユニットに投入された検体容器を前記第１及び前記第２検体処理ユニットへ搬送するための第１搬送ラインと、前記第１搬送ラインの終点および当該終点に至るまでの所定位置から検体容器を受け取り、受け取った検体容器を前記検体回収ユニットへ搬送するための第２搬送ラインとを具備する搬送ユニットと、
前記第１検体処理ユニットによる処理の結果、再処理が必要と判断された検体を収容する検体容器を前記第１搬送ラインに沿って前記第１及び前記第２検体処理ユニットの何れかへ搬送し、前記第１検体処理ユニットによる処理の結果、再処理が不要と判断された検体を収容する検体容器を、前記第１搬送ラインの終点を経由することなく前記第２搬送ラインの途中へ移送し、前記第２搬送ラインに沿って前記検体回収ユニットへ搬送するよう前記搬送ユニットを制御する制御部と、を備える、
検体処理システム。
【請求項２】
前記制御部は、前記第１検体処理ユニットによる処理の結果、再処理が必要と判断された検体を収容する検体容器を、前記第１搬送ラインに沿って前記第２検体処理ユニットへ搬送するように前記搬送ユニットを制御する、
請求項１に記載の検体処理システム。
【請求項３】
前記第１搬送ラインは、
前記第１検体処理ユニットが検体容器から検体を取り込むための検体取込位置を経由して、検体容器を搬送するための取込ラインと、
前記検体取込ラインと並行に設けられ、前記検体取込位置を経由せずに、前記第１検体処理ユニットの搬送方向上流側から搬送方向下流側に検体容器を搬送するための飛び越しラインと、
前記取込ラインと前記飛び越しラインとの間に設けられ、前記取込ラインに沿って搬送された検体容器を受け入れる中継部とを有し、
前記搬送ユニットは、前記中継部に位置する検体容器を前記飛び越しライン及び前記第２搬送ラインへ振り分けるように移送する移送部を具備する、
請求項２に記載の検体処理システム。
【請求項４】
前記移送部は、前記中継部に位置する検体容器を前記第２搬送ラインの搬送方向に交差する方向へ移送することにより、前記第２搬送ラインの途中へ移送するように構成されている、
請求項３に記載の検体処理システム。
【請求項５】
前記移送部は、前記中継部に位置する検体容器を、前記飛び越しラインを横断して前記第２搬送ラインの途中へ移送するように構成されている、
請求項４に記載の検体処理システム。
【請求項６】
前記移送部は、前記中継部に位置する検体容器を押動して、前記第２搬送ラインの途中へ移送するように構成されている、
請求項４又は５に記載の検体処理システム。
【請求項７】
前記制御部は、前記取込ラインによって前記第１検体処理ユニットに搬送された検体容器内の検体の再処理の要否の判定結果を取得するように構成されており、前記判定結果を取得するまで、前記検体容器を前記中継部に待機させるように前記移送部を制御する、
請求項３乃至６の何れかに記載の検体処理システム。
【請求項８】
前記制御部は、取得した前記判定結果に基づいて、前記検体容器の搬送先を決定するように構成されており、検体容器を決定した搬送先へ搬送すべく、前記飛び越しライン及び前記第２搬送ラインへ振り分けるように前記第２移送部を制御する、
請求項７に記載の検体処理システム。
【請求項９】
前記第１検体処理ユニットは、所定の第１の測定項目について検体を測定するように構成され、
前記第２検体処理ユニットは、前記第１の測定項目とは異なる第２の測定項目について検体を測定するように構成され、
前記制御部は、前記第１検体処理ユニットによる処理の結果、前記再処理として、前記第２の測定項目について測定が必要と判断された検体を収容する検体容器を、前記第１搬送ラインに沿って前記第２検体処理ユニットへ搬送するように前記搬送ユニットを制御する、
請求項２乃至８の何れかに記載の検体処理システム。
【請求項１０】
前記第１検体処理ユニットは、検体に含まれる所定の成分を検出するように構成され、
前記第２検体処理ユニットは、スライドガラスに検体を塗抹することにより塗抹標本を作製するように構成され、
前記制御部は、前記第１検体処理ユニットによる処理の結果、前記再処理として、塗抹標本の作製が必要と判断された検体を収容する検体容器を、前記第１搬送ラインに沿って前記第２検体処理ユニットへ搬送するように前記搬送ユニットを制御する、
請求項２乃至８の何れかに記載の検体処理システム。
【請求項１１】
前記第１検体処理ユニットによる処理の結果、再処理が必要と判断された検体の再処理を、前記第２検体処理ユニットにより実行する第１モードと、前記第１検体処理ユニットによる処理の結果、再処理が必要と判断された検体の再処理を、前記第１又は第２検体処理ユニットにより実行する第２モードとの何れかに動作モードを設定可能な設定手段をさらに備える、
請求項１乃至１０の何れかに記載の検体処理システム。
【請求項１２】
検体を収容した検体容器から検体を取り込み、取り込まれた検体を処理する第１及び第２検体処理ユニットへ検体容器を搬送するための第１搬送ラインと、
前記第１搬送ラインの終点及び当該終点に至るまでの所定位置から検体容器を受け取り、受け取った検体容器を、検体容器を回収するための検体回収ユニットへ搬送するための第２搬送ラインと、
前記第１搬送ライン上の検体容器を前記第２搬送ラインに移送する移送部と、
前記第１検体処理ユニットによる処理の結果、再処理が必要と判断された検体を収容する検体容器を前記第１及び第２検体処理ユニットの何れかへ搬送するように前記第１搬送ラインを制御し、前記第１検体処理ユニットによる処理の結果、再処理が不要と判断された検体を収容する検体容器を、前記第１搬送ラインの終点を経由することなく前記第２搬送ラインの途中へ移送し、前記検体回収ユニットへ搬送するように前記移送部および前記第２搬送ラインを制御する制御部と、を備える、
検体搬送ユニット。
【請求項１３】
検体を収容した検体容器から検体を取り込み、取り込まれた検体を処理する第１検体処理ユニット及び第２検体処理ユニットと、
検体容器を供給する検体供給ユニットと、
検体容器を回収する検体回収ユニットと、
前記検体供給ユニットから供給された検体容器を、前記第１検体処理ユニット又は前記第２検体処理ユニットへ搬送するための第１搬送ライン、及び、前記第１検体処理ユニット又は前記第２検体処理ユニットによって処理された検体を収容する検体容器を、前記検体回収ユニットへ搬送するための第２搬送ラインを具備する搬送装置と、
前記搬送装置を制御する制御部と、
を備え、
前記検体供給ユニット及び前記検体回収ユニットは、前記搬送装置に対して同一側に配置されており、
前記搬送装置は、前記第１検体処理ユニットに対応する第１搬送ユニットと、前記第２検体処理ユニットに対応する第２搬送ユニットと、を有し、
前記制御部は、前記第１検体処理ユニットによって処理された検体を収容する検体容器を、当該検体の再処理の要否が判定されるまで、前記第１搬送ユニットの所定位置で保持し、再処理が必要である場合には、前記検体容器を、前記所定位置から前記第１搬送ラインに沿って前記第１検体処理ユニット又は前記第２検体処理ユニットへ搬送するよう前記搬送装置を制御し、再処理が不要である場合には、前記検体容器を、前記所定位置から前記第２搬送ラインに沿って、前記検体回収ユニットへ搬送するよう前記搬送装置を制御するように構成されている、
検体処理システム。
【手続補正２】
【補正対象書類名】明細書
【補正対象項目名】００２０
【補正方法】変更
【補正の内容】
【００２０】
また、本発明の一の態様の検体搬送ユニットは、検体を収容した検体容器から検体を取り込み、取り込まれた検体を処理する第１及び第２検体処理ユニットへ検体容器を搬送するための第１搬送ラインと、前記第１搬送ラインの終点及び当該終点に至るまでの所定位置から検体容器を受け取り、受け取った検体容器を、検体容器を回収するための検体回収ユニットへ搬送するための第２搬送ラインと、前記第１搬送ライン上の検体容器を前記第２搬送ラインに移送する移送部と、前記第１検体処理ユニットによる処理の結果、再処理が必要と判断された検体を収容する検体容器を前記第１及び第２検体処理ユニットの何れかへ搬送するように前記第１搬送ラインを制御し、前記第１検体処理ユニットによる処理の結果、再処理が不要と判断された検体を収容する検体容器を、前記第１搬送ラインの終点を経由することなく前記第２搬送ラインの途中へ移送し、前記検体回収ユニットへ搬送するように前記移送部および前記第２搬送ラインを制御する制御部と、を備える。
また、本発明の他の態様の検体処理システムは、検体を収容した検体容器から検体を取り込み、取り込まれた検体を処理する第１検体処理ユニット及び第２検体処理ユニットと、 検体容器を供給する検体供給ユニットと、検体容器を回収する検体回収ユニットと、前記検体供給ユニットから供給された検体容器を、前記第１検体処理ユニット又は前記第２検体処理ユニットへ搬送するための第１搬送ライン、及び、前記第１検体処理ユニット又は前記第２検体処理ユニットによって処理された検体を収容する検体容器を、前記検体回収ユニットへ搬送するための第２搬送ラインを具備する搬送装置と、前記搬送装置を制御する制御部と、を備え、前記検体供給ユニット及び前記検体回収ユニットは、前記搬送装置に対して同一側に配置されており、前記搬送装置は、前記第１検体処理ユニットに対応する第１搬送ユニットと、前記第２検体処理ユニットに対応する第２搬送ユニットと、を有し、前記制御部は、前記第１検体処理ユニットによって処理された検体を収容する検体容器を、当該検体の再処理の要否が判定されるまで、前記第１搬送ユニットの所定位置で保持し、再処理が必要である場合には、前記検体容器を、前記所定位置から前記第１搬送ラインに沿って前記第１検体処理ユニット又は前記第２検体処理ユニットへ搬送するよう前記搬送装置を制御し、再処理が不要である場合には、前記検体容器を、前記所定位置から前記第２搬送ラインに沿って、前記検体回収ユニットへ搬送するよう前記搬送装置を制御するように構成されている。